(57)【特許請求の範囲】
【請求項１】
室内の暖房を行う暖房装置部と、室内の加湿を行う加湿装置部と、電源スイッチ、暖房モード選択スイッチ、および加湿モード選択スイッチを具備する操作部と、前記操作部からの入力により前記暖房装置部および前記加湿装置部の運転モードを変更する制御部と、を有する電気暖房機器において、
前記操作部に設けた加湿モード選択スイッチを一定時間押し続けることで暖房運転を停止する機構を設けたことを特徴とする電気暖房機器。
【請求項２】
前記加湿装置部の単独運転時には、前記暖房装置部との併用運転時に比べて加湿量を増やす手段を備えたことを特徴とする請求項１に記載の電気暖房機器。
【発明の詳細な説明】
【０００１】
【発明の属する技術分野】
本発明は、加湿装置を備えた電気暖房機器に関するものである。
【０００２】
【従来の技術】
従来の加湿装置を備えた電気暖房機器について、図７〜図９を用いて説明する。図７は従来の電気暖房機器の一例を示す概略斜視図である。図中に示すように、この電気暖房機器は装置本体１０１の前面下部に温風吹出口１０２を有している。この温風吹出口１０２から温風を吹き出すことにより室内の暖房を行う。また、前記装置本体１０１上面には操作部１０３を備えている。図８は前記操作部１０３の一例を示す概略図である。図中に示すように、前記操作部１０３は電源スイッチ１０６、手動運転スイッチ１０７、自動運転スイッチ１０８、スチームスイッチ１０９、入タイマースイッチ１１０、切タイマースイッチ１１１、手動運転モードランプ１１２、自動運転モードランプ１１３、ディジタル表示部１１４、入タイマーランプ１１５、切タイマーランプ１１６、および給水ランプ１１７から構成されている。
【０００３】
さらに、前記装置本体１０１上面には開口部１０４を有する蓋１０５を設けている。この蓋１０５の下方に当たる装置本体１０１内部には蒸気を発生する加湿装置部を備えており、その加湿装置部で発生させた蒸気を前記開口部１０４から装置本体１０１外部に放出し、室内の加湿を行う。図９は図７のＸ−Ｘ’断面図である。この例では前記装置本体１０１内に水を蓄えるための貯水タンク１１８を設けており、その貯水タンク１１８の横に銅管で形成した中空パイプ１１９を垂直に取り付けてある。貯水タンク１１８の底部には導通管部１２０を設け、シリコンゴムで形成された接続チューブ１２１により中空パイプ１１９の下端に連結してある。
【０００４】
また、前記中空パイプ１１９の上端には、蒸気吹出口１２２を接続チューブ１２３により連結している。なお、前記蓋１０５はこの蒸気吹出口１２２に相対する位置に開口部１０４を有している。ここで、中空パイプ１１９の両端部表面、すなわち、接続チューブ１２１および接続チューブ１２３との連結部分表面にはフッ素樹脂１２４を塗布している。これにより、中空パイプ１１９の腐食を防止することができる。また、中空パイプ１１９の略中央部には発熱体１２５を巻くことで管状加熱部１２６を形成している。
【０００５】
上記構成の電気暖房機器の動作を説明する。まず、前記操作部１０３の電源スイッチ１０６を押すことで電源を「入」状態にすると、暖房装置部のヒータや送風ファンが駆動して前記温風吹出口１０２から温風が吹き出る。これにより、室内の暖房を行うことができる。次に暖房運転モードの手動運転スイッチ１０７、または自動運転スイッチ１０８で暖房運転モードを選択する。ここで、暖房運転モードとして、手動運転なら「強、中、弱、微弱」の４モードが選択でき、自動運転なら「高め、標準、低め」の３モードが選択できる。なお、以上の暖房運転モードのいずれが選択されているかは、手動運転モードランプ１１２、または自動運転モードランプ１１３の点灯状態で把握することができる。
【０００６】
次に、加湿運転を行う場合について説明する。まず前記蓋１０５を開けて前記蒸気吹出口１２２から水を注入することで、前記中空パイプ１１９、前記導通管部１２０を介して前記貯水タンク１１８内への給水を行っておくものとする。給水された水は貯水タンク１１８の底部から導通管部１２０を通り、中空パイプ１１９内の下部までを満たした状態となっている。この状態で、前記操作部１０３の電源スイッチ１０６を押して電源を「入」状態とし、上述の暖房運転を開始する。この状態でさらにスチームスイッチ１０９を押して、前記管状加熱部１２６の発熱体１２５に通電を行うことにより、中空パイプ１１９内の水を加熱して蒸発させる。そして、発生した蒸気を蒸気吹出口１２２を通じて開口部１０４から装置本体１０１外部、すなわち電気暖房機器を設置している室内へ放出し、室内の加湿を行う。このように、加湿動作は暖房運転動作と共に行われ、加湿動作単独の運転は行われない。
【０００７】
【発明が解決しようとする課題】
以上に示した従来構成の電気暖房機器は、暖房運転モードとして手動運転モードと自動運転モードの２モードを選択することができるものである。しかし、いずれの運転モードにも暖房運転を停止状態とする機能が設けられていない。このため、暖房装置部の単独運転か、もしくは暖房装置部と加湿装置部の併用運転のみが選択可能で、加湿装置部を単独で運転することはできない。これは、従来の電気暖房機器に設けた加湿装置部のスチーム発生容量が小容量（数十ｍｌ）であり、メイン機能はあくまで室内の暖房に重点が置かれていることによる。しかし、スチーム発生容量が数百ｍｌといった本格的な加湿装置部を電気暖房機器に備え付ける場合、加湿装置部を単独で運転することができなければ、本来の機能を十分発揮できず、使い勝手の悪い製品となってしまう。
【０００８】
本発明は、加湿装置を備えた電気暖房機器において、加湿装置を単独運転することが可能な電気暖房機器を提供することを目的とする。
【０００９】
【課題を解決するための手段】
上記目的を達成するために、本発明に係る電気暖房機器は、室内の暖房を行う暖房装置部と、室内の加湿を行う加湿装置部とを有する電気暖房機器において、前記加湿装置部を単独運転させる選択手段を設けている。なお、前記加湿装置部を単独運転させるために、操作部に設けた暖房モード選択スイッチに暖房運転停止モードを設けている。また、操作部に設けた加湿モード選択スイッチを一定時間押し続けることで暖房運転を停止する機構を設けてもよい。
【００１０】
さらに、暖房運転と加湿運転の両方を停止した時に、前記操作部に設けた電源ランプを消灯し、電源を「切」状態とする機構を設けている。特に、暖房運転と加湿運転の両方を停止してから一定時間経過後に、前記操作部に設けた電源ランプを消灯し、電源を「切」状態とする機構としても良い。また、前記加湿装置部の単独運転時には、前記暖房装置部との併用運転時に比べて加湿量を増やす手段を備えている。
【００１１】
具体的には、室内を暖房する暖房装置部と、室内を加湿する加湿装置部と、電源スイッチ、暖房モード選択スイッチ、および加湿モード選択スイッチを具備する操作部と、前記操作部からの入力により前記暖房装置部および前記加湿装置部の運転モードを変更する制御部とを有する電気暖房機において、前記電源スイッチにより前記暖房装置部および前記加湿装置部をともに運転でき、前記暖房モード選択スイッチにより前記暖房装置部を停止でき、また前記加湿モード選択スイッチにより前記加湿装置部を停止できる機構としている。また、前記加湿モード選択スイッチを一定時間押し続けることで暖房装置部を停止するために、前記加湿モード選択スイッチを押している時間を計測するタイマー計測手段を設けている。
【００１２】
【発明の実施の形態】
本発明に係る電気暖房機器について、まず、図１〜図４を用いて装置の構成を説明をする。図１は本発明に係る電気暖房機器の一例を示す概略斜視図である。本実施形態では、装置本体１の前面下部に温風吹出口２を設けている。この温風吹出口２から温風を吹き出すことにより室内の暖房を行う。また、前記装置本体１上面には操作部３を備えている。図２は前記操作部３の一例を示す概略図である。図中に示すように、前記操作部３は電源スイッチ８、暖房モード選択スイッチ９、加湿モード選択スイッチ１０、入タイマースイッチ１１、切タイマースイッチ１２、電源ランプ１３、暖房モードランプ１４、加湿モードランプ１５、ディジタル表示部１６、入タイマーランプ１７、切タイマーランプ１８、および給水ランプ１９から構成されている。
【００１３】
また、前記装置本体１上面には蓋４、および開口部５を有する蒸気吹出口６を設けている。この蓋４の下方に当たる装置本体１内部には蒸気を発生する加湿装置部を備えており、その加湿装置部で発生させた蒸気を前記開口部５から装置本体１外部に放出し、室内の加湿を行う。図３は図１のＸ−Ｘ’断面図である。この例では前記蓋４の下方に貯水タンク２０を設けている。この貯水タンク２０はタンクキャップ２１を有しており、着脱可能なカートリッジ式である。給水の際は、前記蓋４を開けて前記貯水タンク２０を取り出し、前記タンクキャップ２１を開けて水を注ぎ込む。逆に、貯水タンク２０を前記装置本体１内へ設置する際は、タンクキャップ２１を下側に向けた状態で、水受け部材２２の上に設置する。
【００１４】
ここで、前記タンクキャップ２１には弁機構２３を設けているので、加湿装置部内部の水位を常に一定に保ちながら給水を行うことができる。なお、前記装置本体１の前面には、前記貯水タンク２０に対向する位置に水位確認窓７を設けている。この水位確認窓７は透明ボードで形成しており、前記貯水タンク２０も半透明のポリタンクであるので、外部から目視で残水量の確認が行える。これにより、残水量の確認のたびに貯水タンク２０を取り出すといった煩雑な作業が不必要となる。
【００１５】
一方、前記貯水タンク２０の横には銅管で形成した中空パイプ２４を垂直に取り付けてある。前記水受け部材２２とこの中空パイプ２４とは補助タンク２５を介して連通している。すなわち、補助タンク２５の一方を水受け部材２２の下端に、他方を中空パイプ２４の下端にそれぞれ連結している。なお、この連結にはシリコンゴムで形成された接続チューブ２６および２７を用いている。また、この補助タンク２５には不必要となった水を装置本体１外部に排出するための排水口２８を設けている。
【００１６】
また、前記中空パイプ２４の上端は接続チューブ２９を介して混合タンク３０の下端と連結している。そして、前記混合タンク３０の上端は接続チューブ３１を介して接続部材３２と連結している。この接続部材３２は前記蒸気吹出口６をはめ込み式で脱着するための部材である。このように、蒸気吹出口６を取り外すことが可能な構造とすれば、前記混合タンク３０内部などの清掃が容易に行えるので、常に清潔な蒸気を得ることができる。ここで、中空パイプ２４の両端部表面、すなわち、接続チューブ２７および接続チューブ２９との連結部分表面にはフッ素樹脂３３を塗布している。また、中空パイプ２４には発熱体３４を巻くことで管状加熱部３５を形成している。本実施形態では、この管状加熱部３５を断熱カバー３６でさらに被覆しているので、加えた熱量を無駄なく水の加熱に使うことができ非常に効率がよい。そのため、電力消費量を削減できるので非常に経済的である。
【００１７】
次に、図４を用いて前記混合タンク３０の働きを説明する。図４は図１のＹ−Ｙ’断面図である。図中に示すように、この混合タンク３０は空気取入口３７を介して送風機３８と連通している。こうした構造とすることで、前記管状加熱部３５で発生した蒸気と前記送風機３８から送り込む空気とを混合し、蒸気の温度を下げることができる。これにより、蒸気が使用者に直接当たるような場合にも、使用者が火傷を負う危険性がなく、安全に室内の加湿を行うことができる。
【００１８】
上記構成の電気暖房機器の動作について、図５を用いて説明する。図５は本発明に係る電気暖房機器の概略構成を示すブロック図である。この図に示すように、前記電源スイッチ８、暖房モード選択スイッチ９、および加湿モード選択スイッチ１０からの入力信号は、スイッチ回路３９を通してマイクロコンピュータ４０に送り込まれる。このマイクロコンピュータ４０は制御部４１とタイマー計測手段４２とを有している。この制御部４１において前記スイッチ回路３９からの入力信号を処理し、その結果を表示回路４３や駆動回路４４に出力する。
これにより、前記表示回路４３は前記電源ランプ１３、暖房モードランプ１４，および加湿モードランプ１５の点灯状態を変化させ、駆動回路４４は暖房装置部４５および加湿装置部４６の動作を制御する。また、制御部４１はスイッチ回路３９からの入力信号だけでなく、タイマー計測手段４２で計測した、各スイッチを押し続けている時間や、温度センサー４７および湿度センサー４８で得た室内環境データについても処理を行い、その結果を前記表示回路４３および駆動回路４４に出力することで、電気暖房機器全体の制御を司っている。
【００１９】
ここで、本実施形態に係る電気暖房機器の始動について説明する。電気暖房機器の電源が「切」状態の時に前記操作部に設けた電源スイッチ８を押すと電源ランプ１３が点灯し、電源が「入」状態となる。そして、暖房装置部４５および加湿装置部４６がともに始動し、暖房運転および加湿運転が始まる。以下では、暖房運転、加湿運転、タイマー設定の順に、各動作の詳細な説明を行う。
【００２０】
まず、暖房運転を行う場合について説明する。前記操作部３の電源スイッチ８を押すことで電源を「入」状態にすると、前記暖房装置部４５のヒータや送風ファンが駆動して前記温風吹出口２から温風が吹き出る。これにより、室内の暖房を行うことができる。次に、前記操作部３の暖房モード選択スイッチ９で暖房運転モードを選択する。電源投入直後の初期状態における暖房運転モードは「標準」モードとなっており、暖房運転モード選択スイッチ９を押すごとに「標準」→「高め」→「（暖房運転）停止」→「静音」→「低め」→「標準」といった順序で循環する。
【００２１】
ここで、「高め、標準、低め」の３モードについては、目標となる室内温度がそれぞれ異なっている。具体的には「高め」が２４℃、「標準」が２２℃、そして「低め」が１８℃を目標室内温度として、暖房用ヒータ（本実施形態では、６００Ｗのヒータを２基備えている。）および暖房用送風機の制御を行う。一方、「静音」モードは前記暖房用ヒータのうち、片方の６００Ｗのヒータのみを連続運転するものである。これにより、使用者が就寝中である場合など静粛性を求められる状況下において、暖房機器の駆動音を極力抑えることができる。なお、以上の暖房運転モードのいずれが選択されているかは、前記操作部３に設けた暖房モードランプ１４の点灯状態で把握することができる。
【００２２】
また、本実施形態に係る電気暖房機器では、暖房運転モードに「停止」モードを設けている。これにより、メイン電源を「入」状態としたまま、暖房運転を停止することができる。すなわち、前記加湿装置部４６のみを単独で動作させることが可能となる。なお、暖房運転モードが「停止」モードの時には、前記暖房モードランプ１４は消灯する。
【００２３】
次に、加湿運転を行う場合について説明する。まず、先程説明した手順であらかじめ前記貯水タンク２０への給水を行っておく。給水された水は貯水タンク２０の底部から補助タンク２５を通り、中空パイプ２４内の下部までを満たした状態となる。この状態で、前記操作部３の電源スイッチ８を押して電源を「入」状態にすると、加湿装置部４６の発熱体３４が発熱し、中空パイプ２４内の水を９０〜９５℃に加熱することができる。そして、発生した蒸気の温度を混合タンク３０で適温とした後、蒸気吹出口６を通じて開口部５から装置本体１外部、すなわち電気暖房機器を設置している室内へ放出し、室内の加湿を行うことができる。
【００２４】
電源投入直後の初期状態における加湿運転モードは「５０」モードとなっており、加湿運転モード選択スイッチ１０を押すごとに「５０」→「６０」→「（加湿運転）停止」→「連続」→「４０」→「５０」といった順序で循環する。ここで、それぞれの加湿運転モードについて説明する。「４０、５０、６０」の３モードについては、目標となる室内湿度がそれぞれ異なっている。具体的には「４０」が４０％、「５０」が５０％、そして「６０」が６０％を目標室内湿度として前記発熱体３４および前記送風機３８の制御を行う。一方、「連続」モードは文字通り、前記加湿装置部４６を連続運転するものである。
【００２５】
また、加湿運転モードに「停止」モードを設けることにより、暖房装置部４５のみを単独で動作させることが可能である。なお、以上の加湿運転モードのいずれが選択されているかは前記操作部に設けた加湿モードランプ１５の点灯状態で把握することができる。なお、加湿運転モードが「停止」モードの時には、前記加湿モードランプ１５は消灯する。
【００２６】
本実施形態では、前記加湿モード選択スイッチ１０は加湿運転モードの選択ばかりでなく、もう一つ別の機能、すなわち加湿モード選択スイッチ１０を一定時間（例えば１秒間）押し続けると暖房運転を停止することができるという機能を有している。これは、マイクロコンピュータ４０内部のタイマー計測手段４２によって、加湿モード選択スイッチ１０を押し続ける時間をカウントし、このカウント結果を制御部４１が「１秒以上」と判断したときには、駆動回路４４に対して暖房運転を停止する指令を送出するものである。この機能は暖房運転モードの「停止」モードを選択した場合と同様の結果を得るものである。
【００２７】
ここで、暖房モード選択スイッチ９で「停止」モードを選択するためには、最大４回（「静音」モードから「停止」モードを選択する場合）のスイッチ操作が必要がある。一方、加湿モード選択スイッチ１０を１秒間押し続けることによって暖房運転モードを「停止」モードとすれば、スイッチ操作１回でワンタッチに暖房運転を停止することができる。これにより、煩雑なスイッチ操作を行うことなく、スムーズに前記加湿装置部４６のみを単独で動作させることが可能となる。また、前記加湿装置部４６を単独で運転する場合には、前記暖房装置部４５との併用運転時に比べて加湿量を増やす手段を備えた実施形態をとることもできる。
【００２８】
図６は本実施形態に係る電気暖房機器の回路図である。この実施形態では、加湿増量スイッチ４９を設けている。この加湿増量スイッチ４９を押すことで前記マイクロコンピュータ４０からリレーコイル７４をＯＮとする命令を送出する。これにより、加湿用メインヒータ５０に加えて、加湿用サブヒータ５１に通電が始まり加熱容量が増し、加湿能力が向上する。図６において、６０は商用交流電源であり、４５ａ、４５ｂはそれぞれ暖房装置部４５を成す第１、第２のヒータである。また、６１は降圧トランスであり、その出力は全波整流回路６２で整流され、かつ平滑回路６３によって平滑される。その結果、ラインＬ１には５Ｖの直流電圧が得られる。ラインＬ２はグランド電圧ラインである。
【００２９】
スイッチ９、１０、４９の一端はマイクロコンピュータ４０の端子６７に共通に接続されており、前記各スイッチ９、１０、４９の他端はそれぞれＰＮＰ型トランジスタ６４、６５、６６のコレクタ・ベースを通してマイクロコンピュータ４０の端子６８、６９、７０に接続されている。トランジスタ６４、６５、６６のエミッタは５Ｖの直流電源ラインＬ１に接続されている。７１、７２、７３、７４はマイクロコンピュータ４０によって駆動されるリレーコイルであり、８１、８２、８３、８４はそれらのリレーコイルに対応するリレースイッチである。スイッチ９、１０、４９は押している間でＯＮになり、手を離すとＯＦＦとなる形式のスイッチである。
【００３０】
今、スイッチ９で暖房モードを選択すると、モードの設定温度と室内温度との差に応じて、「強−中−弱−ＯＦＦ」運転をし、「強」運転のときは、マイクロコンピュータ４０の端子６７と６８が接続されたことを検知して、これに基づいてリレーコイル７１と７２に電流を流す。このため、リレースイッチ８１と８２がＯＮとなり、第１ヒータ４５ａと第２ヒータ４５ｂに通電される。暖房モードの設定温度が近づいてくると、「弱」運転となり、マイクロコンピュータ４０からの指令により、リレースイッチ８２がＯＦＦ状態となり、リレースイッチ８１のみがＯＮ状態になる。このため、第１ヒータ４５ａのみに通電される。このように、スイッチ９の暖房モード選択によって暖房装置部４５の動作状態が変わる。そして、スイッチ９を「（暖房運転）停止」すると、リレースイッチ８１、８２がいずれもＯＦＦ状態になり、第１・第２ヒータ４５ａ、４５ｂへの通電を停止する。
【００３１】
スイッチ１０のＯＮ操作では、リレーコイル７３に電流が流れ、リレースイッチ８３がＯＮして加湿用メインヒータ５０に通電される。スイッチ１０で加湿モードを選択し、設定モードの湿度と室内湿度との差によって、リレースイッチ８３をＯＮ／ＯＦＦして、加湿用メインヒータ５０を制御する。同様に、スイッチ４９のＯＮ操作によって、リレーコイル７４を介して、リレースイッチ８４をＯＮ／ＯＦＦでき、それによって、加湿用サブヒータ５１がＯＮ／ＯＦＦして、加湿用サブヒータ５１を制御する。
【００３２】
上述したように、本実施形態に係る電気暖房機器においては前記暖房装置部４５と加湿装置部４６を併用運転させるだけでなく、いずれか一方を単独運転させることが可能である。ここで、暖房運転が停止している状態で、さらに加湿モード選択スイッチ１０により加湿運転モードを「停止」モードとした場合、すなわち暖房運転と加湿運転をともに停止状態とした場合に、前記電源ランプ１３を消灯して電源を「切」状態とする手段を設ければ、前記電源スイッチ８で電源を「切」状態とする必要がなくなり便利である。
【００３３】
この場合、暖房運転と加湿運転がともに停止状態となった時点から一定時間（例えば１０秒）経過後に、電源を「切」状態とするとよい。これにより、暖房運転が停止している状態で加湿モード選択スイッチ１０を操作する場合、たとえ「停止」モードを選んでも１０秒以内に異なるモードに変更すれば、誤って電源が「切」状態となることはない。なお、以上に説明した機能は、加湿運転が停止している状態で、さらに暖房モード選択スイッチ９を操作する場合にも適用できるものである。
【００３４】
次に、タイマー設定を行う場合であるが、まず、指定時間後に電源を「入」状態とする、入タイマー設定について説明する。前記操作部３に設けた入タイマースイッチ１１を１秒間押し続けると、前記ディジタル表示部１６に「７」がディジタル表示され、前記入タイマーランプ１７が点滅を開始する。この「７」は７時間後に電源を「入」状態とすることを意味している。この状態で前記入タイマースイッチ１１を押す毎に、前記ディジタル表示は「７→８→９→無表示（タイマー設定解除）→１→２→・・・→６→７」と循環する。この操作により希望時間を設定した後、８秒間無操作状態とすると、前記入タイマーランプ１７が点滅から点灯に変わって入タイマーの設定が完了する。前記ディジタル表示部１６の数字は時間の経過とともに減少し、希望時間になると電源が「入」状態となり、暖房運転および加湿運転が開始する。
【００３５】
続いて、指定時間後に電源を「切」状態とする、切タイマー設定について説明する。前記操作部３に設けた切タイマースイッチ１２を１秒間押し続けると、前記ディジタル表示部１６に「１」がディジタル表示され、前記切タイマーランプ１８が点滅を開始する。この「１」は１時間後に電源を「切」状態とすることを意味している。この状態で前記切タイマースイッチ１２を押す毎に、前記ディジタル表示は「１→２→・・・→８→９→無表示（タイマー設定解除）→１」と循環する。この操作により希望時間を設定した後、８秒間無操作状態とすると、前記切タイマーランプ１８が点滅から点灯に変わって切タイマーの設定が完了する。前記ディジタル表示部１６の数字は時間の経過とともに減少し、希望時間になると電源が「切」状態となり、暖房運転および加湿運転が停止する。
【００３６】
以上に説明したように、前記入タイマースイッチ１１もしくは切タイマースイッチ１２は、１秒間押し続けなければタイマー設定を行うことができない設計となっている。これにより、使用者が誤ってタイマースイッチを押してしまった場合にはタイマー設定を行わないので、電気暖房機器の誤動作を防止することができる。
【００３７】
【発明の効果】
本発明によると、暖房運転と加湿運転を行う電気暖房機器において、加湿を単独運転させることができるので、この機能を有しない従来の電気暖房機器に比べて用途が広がり、電気暖房機器の価値が高まるという効果がある。例えば、電源スイッチを押すことで暖房装置部および加湿装置部をともに始動させ、その後、暖房モード選択スイッチにより暖房装置部を単独で停止させたりすることにより、加湿装置部の単独運転状態を得ることができる。このように、操作部に設けた暖房モード選択スイッチに暖房運転停止モードを設けることで、加湿運転を単独で行うことができる非常に使い勝手の良い電気暖房機器となっている。
【００３８】
また、加湿モード選択スイッチを一定時間押し続けることで暖房運転を停止する機構、すなわち加湿モード選択スイッチを押している時間を計測するタイマー計測手段を設ければ、スイッチ操作１回でワンタッチに暖房運転を停止することができる。これにより、煩雑なスイッチ操作を行うことなく、スムーズに加湿運転を単独で行うことが可能となる。
【００３９】
さらに、暖房運転と加湿運転の両方を停止した時に電源ランプを消灯し、電源を「切」状態とする機構を設けている。これにより、電源スイッチで電源を「切」状態とする必要がなくなり便利である。特に、暖房運転と加湿運転の両方を停止してから一定時間経過後に電源ランプを消灯し、電源を「切」状態とする機構としても良い。これにより、一方の運転が停止している状態で他方の「停止」モードを選んでも一定時間以内に異なるモードに変更すれば、誤って電源が「切」状態となることはない。
【００４０】
また、加湿装置部の単独運転時には、暖房装置部との併用運転時に比べて加湿量を増やす手段を備えている。これにより、加湿装置の性能を余すところなく発揮することができ、室内を効果的に加湿することができる。
【図面の簡単な説明】
【図１】本発明に係る電気暖房機器の一例を示す概略斜視図である。
【図２】本発明に係る電気暖房機器に設けた操作部の一例を示す概略図である。
【図３】図１のＸ−Ｘ’断面図断面図である。
【図４】図１のＹ−Ｙ’断面図断面図である。
【図５】本発明に係る電気暖房機器の概略構成を示すブロック図である。
【図６】本発明に係る電気暖房機器の回路図である。
【図７】従来の電気暖房機器の一例を示す概略斜視図である。
【図８】従来の電気暖房機器に設けた操作部の一例を示す概略図である。
【図９】図７のＸ−Ｘ’断面図である。
【符号の説明】
１      装置本体
２      温風吹出口
３      操作部
４      蓋
５      開口部
６      蒸気吹出口
７      水位確認窓
８      電源スイッチ
９      暖房モード選択スイッチ
１０    加湿モード選択スイッチ
１１    入タイマースイッチ
１２    切タイマースイッチ
１３    電源ランプ
１４    暖房モードランプ
１５    加湿モードランプ
１６    ディジタル表示部
１７    入タイマーランプ
１８    切タイマーランプ
【図１】
0003622780.tif 000002
【図２】
0003622780.tif 000003
【図３】
0003622780.tif 000004
【図４】
0003622780.tif 000005
【図５】
0003622780.tif 000006
【図６】
0003622780.tif 000007
【図７】
0003622780.tif 000008
【図８】
0003622780.tif 000009
【図９】
0003622780.tif 000010